(57)【要約】      （修正有）【課題】外壁材の内側に通気層が設けられている既設の建築物の外壁を、耐久性能が高く、安価でかつ容易にリフォームすることのできる、リフォーム用外壁構造を提供する。【解決手段】外壁材１１の内側に通気層が設けられている既設の建築物に施すリフォーム用外壁構造１であって、外壁材１１の表面に化粧用石粒２２が固着された石粒付シート材２が直貼りされてなる。外壁材１１の下端部には、直貼りされる石粒付シート材２の最下端部を支持するとともに水切りとしても機能する水切りスターター３が、外壁材１１の下端縁１１１に沿って当該外壁材１１の下端面１１２から石粒付シート材２よりも外方向に延出されて固定されていてもよい。【選択図】図１
0003222989.tif 000002
【実用新案登録請求の範囲】
【請求項１】
外壁材の内側に通気層が設けられている既設の建築物に施すリフォーム用外壁構造であって、前記外壁材の表面に化粧用石粒が固着された石粒付シート材が直貼りされてなる、前記リフォーム用外壁構造。
【請求項２】
前記外壁材の下端部には、直貼りされる前記石粒付シート材の最下端部を支持するとともに水切りとしても機能する水切りスターターが、前記外壁材の下端縁に沿って当該外壁材の下端面から前記石粒付シート材よりも外方向に延出されて固定されている、請求項１に記載のリフォーム用外壁構造。
【請求項３】
前記水切りスターターは、前記外壁材の表面に沿って垂直に形成されており当該外壁面に固定される固定部と、この固定部の下端から外側直角方向に屈曲されてなる水切り支持部と、この水切り支持部の先端から下方に折り返されて前記外壁材の下端面を覆う位置まで形成された下端面保護部とを有する、請求項２に記載のリフォーム用外壁構造。
【請求項４】
既設の前記建築物の出隅には、当該出隅に沿って石粒付シート材が直貼りされた際に前記出隅に沿って生じる隙間を埋めるための長尺状の出隅化粧材が設けられており、この出隅化粧材の露出面には前記化粧用石粒が固着されている、請求項１から請求項３のいずれかに記載のリフォーム用外壁構造。
【請求項５】
前記出隅化粧材は、前記出隅に設置された際に外側に露出するとともに化粧用石粒が固着される露出化粧部と、この露出化粧部の左右端部から相互に近接するように内側に折り曲げられて形成されるとともに前記石粒付シート材の左右端部を当接させて当該石粒付シート材の剥離を防止する左右一対の剥離防止部と、これら各剥離防止部から外側に折り返されて前記出隅における左右の前記外壁材に固定される左右一対の出隅固定部とを有する、請求項４に記載のリフォーム用外壁構造。
【請求項６】
前記石粒付シート材が、前記外壁材の表面に接着剤により接着されているとともに、固定用ネジ、固定用ネイルおよび固定用ステープルのうち少なくとも一種類からなる固定材により固定されている、請求項１から請求項５のいずれかに記載のリフォーム用外壁構造。
【考案の詳細な説明】
【技術分野】
【０００１】
本考案は、既設の建築物の外壁をリフォームするためのリフォーム用外壁構造に関するものである。
【背景技術】
【０００２】
従来、建築物の外壁には、タイル張りなどの一部を除いて、表面に塗装が施されている。このような外壁塗装は、紫外線や風雨に晒されることにより日々劣化が進む。劣化した状態を放置しておくと外観が悪くなるばかりではなく、外壁の亀裂など、建築物そのものの劣化の原因となる。このため建築物の外壁は、およそ１０年周期で再塗装する必要があると言われている。
【０００３】
一方、再塗装以外の方法として劣化した外壁の表面に新たな外壁材を外張りするものがある。従来、モルタル塗り等で形成された外壁については、既設外壁の表面に胴縁を設け、その上に新たな外壁材を固定する構造が用いられている。このとき前記胴縁によって既設の外壁材と新たな外壁材との間に形成される通気層によって、新旧いずれの外壁も、乾燥状態が保たれるため雨水や結露水などによる劣化を防止することができる。
【０００４】
ところで、近年、モルタル塗りなどとは異なる外壁構造として、サイディングボードなどの外壁材の内面側に予め通気層を設けたものが開示されている（特許文献１）。
【先行技術文献】
【特許文献】
【０００５】
【特許文献１】実用新案登録第３２１４１１６号
【考案の概要】
【考案が解決しようとする課題】
【０００６】
このような通気層を備えた外壁構造を有する既設の建築物について、設置から既に相当年月が経過しており、新たな外壁材の外張りが必要な建築物が表れている。
【０００７】
しかしながら、新たな外壁材を外張りする場合、通気層を既に備えているにもかかわらず、これまでの慣習から既設の外壁の表面に胴縁を設け、新たな外壁材を固定する傾向が続いている。このため、構造的には不要な二重の通気層を形成しており、施工が難しく費用面での負胆が大きくなる原因にもなっている。
【０００８】
また、窓が設けられている周囲に新たな外壁材を外張りする場合、既設の外壁材の表面に対して胴縁の厚さや外壁材の厚さ分の段差ができるため外観が悪くなる。この段差をなくするには窓の付け替えが必要になるためさらに施工費用が増加してしまう。
【０００９】
本考案は、以上のような問題点を解決するためになされたものであって、外壁材の内側に通気層が設けられている既設の建築物の外壁を、耐久性能が高く、安価でかつ容易にリフォームすることのできる、リフォーム用外壁構造を提供することを目的としている。
【課題を解決するための手段】
【００１０】
本考案に係るリフォーム用外壁構造は、耐久性能が高い外壁構造を安価でかつ容易に施工するという課題を解決するために、外壁材の内側に通気層が設けられている既設の建築物に施すリフォーム用外壁構造であって、前記外壁材の表面に化粧用石粒が固着された石粒付シート材が直貼りされてなる。
【００１１】
また、本考案の一態様として、石粒付シート材を直貼りするリフォーム外壁において最下端部を支持するスターターの機能と外壁材下端の水切りの機能を確保するという課題を解決するために、前記外壁材の下端部には、直貼りされる前記石粒付シート材の最下端部を支持するとともに水切りとしても機能する水切りスターターが、前記外壁材の下端縁に沿って当該外壁材の下端面から前記石粒付シート材よりも外方向に延出されて固定されていてもよい。
【００１２】
さらに、本考案の一態様として、水切りスターターを外壁材の下端に固定するという課題を解決するために、前記水切りスターターは、前記外壁材の表面に沿って垂直に形成されており当該外壁面に固定される固定部と、この固定部の下端から外側直角方向に屈曲されてなる水切り支持部と、この水切り支持部の先端から下方に折り返されて前記外壁材の下端面を覆う位置まで形成された下端面保護部とを有していてもよい。
【００１３】
また、本考案の一態様として、石粒付シート材を直貼りするリフォーム外壁において出隅の外観も綺麗にするという課題を解決するために、既設の前記建築物の出隅には、当該出隅に沿って石粒付シート材が直貼りされた際に前記出隅に沿って生じる隙間を埋めるための長尺状の出隅化粧材が設けられており、この出隅化粧材の露出面には前記化粧用石粒が固着されていてもよい。
【００１４】
さらに、本考案の一態様として、出隅における石粒付シート材を剥がれ難くするという課題を解決するために、前記出隅化粧材は、前記出隅に設置された際に外側に露出するとともに化粧用石粒が固着される露出化粧部と、この露出化粧部の左右端部から相互に近接するように内側に折り曲げられて形成されるとともに前記石粒付シート材の左右端部を当接させて当該石粒付シート材の剥離を防止する左右一対の剥離防止部と、これら各剥離防止部から外側に折り返されて前記出隅における左右の前記外壁材に固定される左右一対の出隅固定部とを有していてもよい。
【００１５】
また、本考案の一態様として、石粒付シート材を外壁材の表面に確実に固着させ剥がれ難くするという架台を解決するために、前記石粒付シート材が前記外壁材の表面に接着剤により接着されるとともに、固定用ネジ、固定用ネイルおよび固定用ステープルのうち少なくとも一種類からなる固定材により固定されていてもよい。
【考案の効果】
【００１６】
本考案によれば、外壁材の内側に通気層が設けられている既設の建築物の外壁を、耐久性能が高く、安価でかつ容易にリフォームすることができる。
【図面の簡単な説明】
【００１７】
【図１】本考案に係るリフォーム用外壁構造の一実施形態を示す断面図である。
【図２】本実施形態のリフォーム用外壁構造を示す斜視図である。
【図３】本実施形態における水切りスターターを示す斜視図である。
【図４】本実施形態における出隅化粧材を示す斜視図である。
【考案を実施するための形態】
【００１８】
以下、本考案に係るリフォーム用外壁構造一実施形態について図面を用いて説明する。
【００１９】
リフォーム用外壁構造１は、図１および図２に示すように、既設の建築物１０における外壁材１１の表面に直貼りにより固定される石粒付シート材２と、前記外壁材１１の下端に設けられる水切りスターター３と、出隅１４に設けられる出隅化粧材４とを有する。以下、各構成について説明する。
【００２０】
まず、既設の建築物１０における外壁の構造について簡単に説明する。既設建築物１０の外壁構造は、図１に示すように、合板などからなり建築物１０の柱１５等の外側に設けられる下地材１２と、この下地材１２と外壁材１１との間に通気層を形成する胴縁１３と、この胴縁１３に固定される窯業サイディングなどの外壁材１１とを有する。
【００２１】
石粒付シート材２は、外壁材１１に直貼りして外壁構造をリフォームするためのものである。本実施形態における石粒付シート材２は、アスファルト等を含有する防水性を備えたシート材２１の表面に化粧用の化粧用石粒２２が固着されたものである。
【００２２】
化粧用石粒２２は、天然石や人工石を砕いて粒径を一定範囲の大きさに揃えたものである。使用される石の種類や各種の混合比などにより色合い等を調整することができる。本実施形態における化粧用石粒２２は、シート材２１の厚さよりも平均粒径が小さい化粧用石粒２２によって構成されており、接着剤を用いて下地となるシート材２１が見えなくなる程度に隙間なく敷き詰めて固定されている。
【００２３】
この石粒付シート材２は、カッターナイフやハサミなどにより任意の寸法に切断可能であり、施工現場で自由に形状を調整することができる。よって、施工が容易である。また、化粧用石粒２２の劣化は少ないため対応年数は５０年以上と考えられ、塗装などは不要であることからメンテナンスもほぼ不要である。シート材２１から化粧用石粒２２が脱落することがあるが、化粧用石粒２２を貼り直すことで容易に補修することができる。なお、石粒付シート材２の厚さは、適宜選択可能であるが、直貼り後に既設の窓との間で生じる段差などを考慮すると、約２ｍｍから約３ｍｍの範囲のものを用いるのが好ましい。
【００２４】
また、本実施形態における石粒付シート材２は、外壁材１１の表面に確実に固着させ剥がれ難くするため、前記外壁材１１の表面に接着剤により接着されるとともに、固定用ネジ、固定用ネイルおよび固定用ステープルのうち少なくとも一種類からなる固定材２６により固定される。
【００２５】
接着剤は、特に限定されるものではないが、野外で使用されることを考慮して耐水性や耐紫外線性の高いものから適宜選択される。この接着剤は、外壁材１１の表面に塗布する液体状のものでもよく、予め石粒付シート材２の裏面側（接着面側）に塗布されていてもよい。
【００２６】
固定材２６は、固定用ネジ、固定用ネイルおよび固定用ステープルのうち少なくとも一種類からなる。固定用ネジは、特に限定されるものではないが、木ネジ等が例示される、ここで固定用ネジは、ビスやスクリューと呼ばれるものを含むものである。また、固定用ネイルは、特に限定されるものではないが、釘やスクリューネイル等が例示される。本実施形態では、固定用ネイルとしてスクリューネイルを使用している。
【００２７】
また、固定用ネジや固定用ネイルの代わりに、固定用ステープルを用いてもよい。例えば、脚の長さが２２ｍｍ〜２５ｍｍ程度のステンレス製のステープルを用いることができる。固定用ステープルを用いることで、施工スピードを上げることができるとともに、釘打ち時の衝撃による下地材（サイディング材）の裏面の破損を軽減することができる。固定用ステープルは、細いピンからなり、強い力で石粒付シート材２を引っ張ると前記石粒付シート材２が破れる可能性があるため、本実施形態のように接着剤と併用することが好ましい。
【００２８】
水切りスターター３は、雨水や結露水が通気層へ浸入するのを防止するとともに、石粒付シート材２を外壁材１１の表面側に直貼りするときのスターターとして機能するものである。
【００２９】
本実施形態における水切りスターター３は、図３に示すように、前記外壁材１１の下端縁１１１に沿った表面に固定するために前記外壁材１１に沿って垂直に形成された固定部３１と、この固定部３１の下端から外側直角方向に屈曲されてなる水切り支持部３２と、この水切り支持部３２の先端から折り返されて前記外壁材１１の下端面１１２を覆う位置まで形成された下端面保護部３３とを有する。この水切りスターター３の素材や製造方法は特に限定されるものではないが、本実施形態では、横長矩形状の金属製の板材を適宜折り曲げて各部を形成している。また、固定部３１から水切り支持部３２の先端までの長さは、適宜選択されるものであるが、本実施形態では石粒付シート材２の厚さ（約２ｍｍ〜約３ｍｍ）を考慮して約１２ｍｍとしている。
【００３０】
なお、本実施形態における垂直および直角は、厳密な角度ではなく工業的な製品の精度として許容される角度を含むものである。
【００３１】
出隅化粧材４は、既設の建築物１０の出隅１４に設けられるものであり、前記出隅１４に沿って石粒付シート材２が直貼りされた際に当該出隅１４に沿って生じる隙間と前記石粒付シート材２の左右端部２３を覆い隠して、出隅１４をきれいに見せるものである。
【００３２】
本実施形態における出隅化粧材４は、図２および図４に示すように、出隅１４に設置された際に外側に露出する露出化粧部４１と、この露出化粧部４１の左右端部から相互に近接するように内側に折り曲げられて形成されるとともに石粒付シート材２の左右端部２３を当接させて当該石粒付シート材２の剥離を防止する左右一対の剥離防止部４２と、各剥離防止部４２から外側に折り返されて出隅１４における左右の外壁材１１にそれぞれ固定される左右一対の出隅固定部４３とを有する。出隅化粧材４の素材や製造方法は特に限定されるものではないが、本実施形態では、縦長矩形状の金属製の板材を、図４に示すように、前記露出化粧部４１から一対の剥離防止部４２をそれぞれ４５°の角度で内側に折り曲げ、さらに各出隅固定部４３を剥離防止部４２から９０°の角度で外側に折り曲げて形成している。なお、剥離防止部４２や出隅固定部４３の折り曲げ角度は厳密な角度ではなく、工業的な製品の精度として許容される角度を含むものである。
【００３３】
また、出隅１４に設置された場合に露出化粧部４１には、石粒付シート材２に固着される化粧用石粒２２と同等の化粧用石粒４４が接着剤により固着されている。なお、当該露出化粧部４１には石粒付シート材２を貼ってもよい。
【００３４】
次に、本実施形態のリフォーム用外壁構造１における各構成の作用について、既設の建築物１０に対する施工手順とともに説明する。
【００３５】
まず、水切りスターター３を既設の建築物１０における外壁材１１の下端縁１１１に沿って固定する。具体的には、水切りスターター３の固定部３１を前記外壁材１１の下端縁１１１に沿った表面に、ビスなどを用いて固定する。これにより、水切りスターター３の水切り支持部３２が前記外壁材１１の表面より外側に突出する。
【００３６】
また、出隅化粧材４を既設の建築物１０の出隅１４に沿って固定する。具体的には、図２に示すように、左右一対の出隅固定部４３を出隅１４の隅部に沿った左右両面にそれぞれ固定する。
【００３７】
つぎに、石粒付シート材２を外壁材１１の表面に直貼りする。具体的には、まず外壁材１１の表面に接着剤（図示しない）を塗布する。そして、図１および図２に示すように、石粒付シート材２の下端部２４を水切り支持部３２の上面に位置するように配置し、外壁材１１の表面に接着する。さらに、固定用ネジ、固定用ネイルおよび固定用ステープルのうち少なくとも一種類からなる固定材２６を併用して石粒付シート材２を外壁材１１の表面に固定する。本実施形態では固定用ネイルとして、スクリューネイルを用いて固定する。これにより、石粒付シート材２は、外壁材１１に対して外壁材１１の表面に確実に固着され、風雨を受けても剥がれ難くなる。
【００３８】
外壁材１１の上下寸法に対して石粒付シート材２の上下寸法が短い場合は、その上に他の石粒付シート材２を直貼りし外壁材１１の表面全面を覆うように固定する。本実施形態では、図２に示すように、横長に形成された石粒付シート材２を上下方向に複数段に並べて固定している。複数段に並べて固定する場合、雨水などが石粒付シート材２と外壁材１１との間に流れ込むのを防止するため、上側に配置される石粒付シート材２の下端部２４が、下側の石粒付シート材２の上端部２５と僅かに重なるようにして固定するのが好ましい。
【００３９】
また、出隅１４においては、図２に示すように、石粒付シート材２の左右いずれかの端部２３を剥離防止部４２に当接するように配置する。これにより、出隅化粧材４は、建築物１０の外観から石粒付シート材２の左右端部２３を隠すことができるとともに、石粒付シート材２の左右端部２３が剥がれにくくなる。
【００４０】
また、露出化粧部４１には石粒付シート材２に固着された化粧用石粒２２と同等の化粧用石粒４４が固着されているため、外壁材１１に直貼りされた石粒付シート材２と色合いや質感などのなじみが良く、外観を良好にすることができる。
【００４１】
また、水切りスターター３は、既設の外壁材１１の表面に直貼りされた石粒付シート材２に沿って流れ落ちる雨水の流れを断ち切り石粒付シート材２よりも外側に流れ落とす。これにより、既設の外壁材１１の内側にある通気層へ雨水が浸入するのを防止することができる。また、下端面保護部３３が外壁材１１の下端縁１１２を覆うように設けられているため、地面等により跳ね返る雨水が既設の外壁材１１にかかるのを防ぐ。これにより、石粒付シート材２により覆われた既設の外壁材１１の劣化を防ぐことができる。
【００４２】
以上のような本実施形態のリフォーム用外壁構造１によれば、以下の効果を奏することができる。
１．既設の建築物１０の外壁材１１の表面に安価でかつ施工が容易な石粒付シート材２を直貼りすることにより、耐久性能の高い外壁構造にリフォームすることができる。
２．水切りスターター３に水切り機能とスターター機能を合わせ持たせたことにより、部材および施工手順を減らすことができる。
３．出隅１４に出隅化粧材４を設けることで、石粒付シート材２の左右端部２３を覆い隠すことができるとともに、前記石粒付シート材２を剥がれにくくすることができる。
４．出隅化粧材４に石粒付シート材２に固着された化粧用石粒２２を設けたことにより、リフォーム後の外壁全体の外観に統一性を生じさせ、綺麗な印象を与えることができる。
５．石粒付シート材２が外壁材１１の表面に接着剤とともに、固定用ネジ、固定用ネイルおよび固定用ステープルのうち少なくとも一種類からなる固定材２６により固定されているため、風雨を受けても剥がれ難くくすることができる。
【００４３】
なお、本考案に係るリフォーム用外壁構造は、前述した実施形態に限定されるものではなく、適宜変更することができる。例えば、出隅化粧材４に固着する化粧用石粒４４の種類は、石粒付シート材２と同じものに限定されるものではなく、建築物全体の印象などを考慮して適宜色合いなどを変更してもよい。また、出隅化粧材４の露出化粧部４１は平面状のものに限定されるものではなく外側または内側に膨らむ曲面状に形成されていてもよい。
【符号の説明】
【００４４】
１  リフォーム用外壁構造
２  石粒付シート材
３  水切りスターター
４  出隅化粧材
１０  建築物
１１  外壁材
１２  下地材
１３  胴縁
１４  出隅
１５  柱
２１  シート材
２２  化粧用石粒
２３  左右端部    
２４  下端部
２５  上端部
２６  固定材
３１  固定部
３２  水切り支持部
３３  下端面保護部
４１  露出化粧部
４２  剥離防止部
４３  出隅固定部
４４  化粧用石粒
１１１  下端縁
１１２  下端面
【図１】
0003222989.tif 000003
【図２】
0003222989.tif 000004
【図３】
0003222989.tif 000005
【図４】
0003222989.tif 000006